(57)【要約】  高速な分光が可能な分光装置等を提供する。  分光装置は、波長に応じて光の波面形状を変換する変調手段と、波面形状を変換された光のうち、選択された波長の光の位相を所定の状態となるように変化させる復調手段とを備える。
2018070206.tif 000002
【特許請求の範囲】
【請求項１】
波長に応じて光の波面形状を変換する変調手段と、
前記波面形状を変換された光のうち、選択された波長の光の位相を所定の状態となるように変化させる復調手段とを備える分光装置。
【請求項２】
前記復調手段は、前記選択された波長の光の位相を平行光となるように変化させる、請求項１に記載の分光装置。
【請求項３】
前記変調手段は、波長毎の光路長が少なくとも一部で異なる散乱板である、請求項１又は２に記載の分光装置。
【請求項４】
前記散乱板は、前記光の進行方向に対する厚さが異なる部位を含む、請求項３に記載の分光装置。
【請求項５】
前記散乱板の前記光が入射又は出射する面に凹凸が形成されている、請求項３又は４に記載の分光装置。
【請求項６】
前記散乱板は、波長に応じて前記光の進行方向を少なくとも一部で変化させる、請求項３から５のいずれか一項に記載の分光装置。
【請求項７】
前記散乱板は、前記光が入射又は出射する面が前記光の進行方向に対して斜めとなる方向に延在する部位を含む、請求項３から６のいずれか一項に記載の分光装置。
【請求項８】
前記散乱板は複数の層を有する、請求項３から７のいずれか一項に記載の分光装置。
【請求項９】
前記複数の層の少なくとも一つの層は、他の層と異なる材料で形成されている、請求項８に記載の分光装置。
【請求項１０】
前記復調手段は空間光変調器である、請求項１から９のいずれか一項に記載の分光装置。
【請求項１１】
前記空間光変調器は形状可変ミラーである、請求項１０に記載の分光装置。
【請求項１２】
前記空間光変調器は液晶空間光変調素子である、請求項１０に記載の分光装置。
【請求項１３】
前記復調手段は、位相シフト干渉法に基づいて前記位相を所定の状態となるように変化させる、請求項１から９のいずれか一項に記載の分光装置。
【請求項１４】
二次元の画像に関する光を第１の平行光とするコリメータと、
前記第１の平行光のうち、特定の波長の光の位相を平行光となるように変化させる請求項１から１３のいずれか一項に記載の分光装置と、
前記分光装置から出射する第２の平行光を結像させるピンホール光学系と、
前記第２の平行光を撮像するイメージセンサとを備える撮像装置。
【発明の詳細な説明】
【技術分野】
【０００１】
本発明は、分光装置及び撮像装置に関する。
【背景技術】
【０００２】
ハイパースペクトルイメージングと呼ばれる、数十波長以上の多数の波長の画像を取得する技術が用いられつつある。ハイパースペクトルイメージング技術では、所望の波長帯の光を分光することで波長毎の画像が得られる。【０００３】
ハイパースペクトルイメージング技術の一例が特許文献１に記載されている。特許文献１には、走査型投影表示装置等が記載されている。特許文献１に記載の走査型投影表示装置は、異なる波長領域の光が重ね合わされて入射した画像の１次元像を出射するスリット部材と、スリットからの出射光を走査して、二次元像をなす走査画像を生成する走査鏡を少なくとも備える。
【先行技術文献】
【特許文献】
【０００４】
【特許文献１】特開２０１５−５５８１９号公報
【発明の概要】
【発明が解決しようとする課題】
【０００５】
ハイパースペクトルイメージング等においては、分光された個々の波長に関する画像の取得に長い時間が必要となる場合がある。すなわち、特許文献１に記載の技術等に対して、分光された画像の取得に要する時間等の更なる高速化が求められている。【０００６】
本発明は、上記課題を解決するためになされたものであって、高速な分光が可能な分光装置等を提供することを  主たる目的とする。
【課題を解決するための手段】
【０００７】
本発明の一態様における分光装置は、波長に応じて光の波面形状を変換する変調手段と、波面形状を変換された光のうち、選択された特定の波長の光の位相を所定の状態となるように変化させる復調手段とを備える。【０００８】
また、本発明の一態様における撮像装置は、二次元の画像に関する光を第１の平行光とするコリメータと、第１の平行光のうち、特定の波長の光の位相を平行光となるように変化させる分光装置と、分光装置から出射する第２の平行光を結像させるピンホール光学系と、第２の平行光を撮像するイメージセンサとを備える。
【発明の効果】
【０００９】
本発明によると、高速な分光が可能な分光装置等を提供することができる。
【図面の簡単な説明】
【００１０】
【図１】本発明の実施形態における分光装置を示す図である。
【図２】本発明の実施形態における撮像装置を示す図である。
【図３】本発明の実施形態における分光装置による分光方法の概念を示す図である。
【図４】本発明の実施形態における撮像装置の具体的な構成例を示す図である。
【図５】本発明の実施形態における分光装置が備える変調部の一例である拡散板を示す図である。
【図６】変調部にて区別される波面形状の差異の条件を示す例である。
【図７】変調部である拡散板の構成例を示す図である。
【図８】変調部における変換によって各々の画素の光が他の画素に入り込まないための条件を示す図である。
【図９】復調部の調整が行われる際に用いられる構成の例を示す図である。
【発明を実施するための形態】
【００１１】
本発明の実施形態について、添付の図面を参照して説明する。なお、以下の説明では、「平面波」は、光の位相が等しい面（すなわち波面）が平面状である光を示す。本発明の実施形態においては、平面波には、実用上、平面波として扱うことが可能な程度の位相のずれや誤差を含む波（光）が含まれてもよい。また、本発明の実施形態において、「平行光」は、光線が平行に進む光をあらわす。平行光には、実用上、平行光として扱うことが可能な程度のずれや誤差を含む光が含まれてもよい。
【００１２】
（分光装置の原理）
次に、本実施形態における分光装置が用いる分光手法の原理について説明する。本実施形態における分光装置は、一つの観点では、補償光学の原理を用いて分光する。すなわち、本実施形態における分光装置１００は、補償光学の原理が分光の技術に適用されたものであると考えることができる。
【００１３】
図３を用いて、本実施形態における分光装置が用いる分光手法の原理の詳細を説明する。分光の対象となる白色光等の平面波は、散乱板を透過することによって、例えば波長毎に波面が異なる波に変換される。図３（Ａ）に示す例では、散乱板を透過した平面波に含まれる波長１から３の３つの波長の光の波面が、散乱板によってそれぞれ異なる形状に変換されている。
【００１４】
このように波長毎に波面が変換された光が、例えば特定の波長に対して波面の各々の箇所における光路長の差をなくすような形状の鏡面を有する鏡に反射することで、当該波長の波面が平面波へ戻る。図３（Ａ）では、波長１から３の３つの波長の光のうち、波長２の光が平面波へ戻る例が示されている。
【００１５】
波長毎の波面の形状は、例えば波面形状センサを用いて測定される。波面の各々の箇所における光路長の差をなくすような形状を有する鏡は、形状可変ミラー等の空間光変調器（Ｓｐａｔｉａｌ  Ｌｉｇｈｔ  Ｍｏｄｕｌａｔｏｒ：ＳＬＭ）を適宜制御することで得られる。つまり、波面形状センサによって測定された特定の波長の波面の形状に応じて空間光変調器の鏡面を制御することで、特定の波長の光が平面波へ戻される。また、波長毎に異なる形状の波面に変換された場合には、他の波長の光の波面は平面波とは異なる形状となる。
【００１６】
そして、ピンホールを含む光学系に上述した特定の波長の波面が平面波となった光を通すことで、平面波以外の波面の光はピンホールによって散乱する。すなわち、平面波となった特定の波長の波面を撮像素子に結像させることが可能となる。平面波となった特定の波長の波面を撮像素子に結像させることで、当該特定の波長に関する単色の画像を得ることができる。図３（Ｂ）に示す例では、波長１から３の３つの異なる波長の光のうち、平面波である波長２の光以外の光がピンホールを含む光学系で散乱している。すなわち、この例では波長２に関する画像が得られる。
【００１７】
上記の手順によって、特定の波長に関する単色の画像を得ることが可能となる。そして、複数の所望の波長に対して上記の手順を繰り返すことで、多数の波長に関する画像を得ることが可能となる。
【００１８】
また、形状可変ミラーは、例えば数ｋＨｚ（キロヘルツ）の動作周波数にて動作する。すなわち、上述した手順では、例えば空間光変調器として形状可変ミラーが用いられることで、例えば一秒間に数千波長の光の平面波を得ることが可能となる。
【００１９】
（分光装置及び撮像装置）
続いて、本発明の実施形態について説明する。図１は、本実施形態における分光装置を示す図である。図２は、本実施形態における撮像装置を示す図である。図２に示す撮像装置は、図１に示す分光装置を含む。
【００２０】
図１に示すとおり、本発明の第１の実施形態における分光装置１００は、変調部１１０と、復調部１２０とを備える。変調部１１０は、波長に応じて光の波面形状を変換する。復調部１２０は、変調部１１０によって波面形状を変換された光のうち、選択された特定の波長の光の位相を所定の状態となるように変化させる。例えば、復調部１２０は、変調部１１０によって波面形状を変換された光のうち、選択された特定の波長の光を揃えて平面波となるように光の位相を変化させる。
【００２１】
また、図２に示すとおり、本発明の第１の実施形態における撮像装置１０は、コリメータ１１と、上述した分光装置１００と、ピンホール光学系１２と、撮像素子１３とを有する。コリメータ１１は、対象物等の二次元の画像に関する光を平行光とする。分光装置１００は、コリメータ１１で平行光とされた光が入射すると、選択された特定の波長の光の位相を例えば平行光等の所定の状態となるように変化させて出射する。ピンホール光学系１２は、分光装置１００によって平面波とされた光を撮像素子１３に結像させる。ピンホール光学系１２は、ピンホールを含む。撮像素子１３は、平行光とされた特定の波長の光についての画像を撮像する。
【００２２】
なお、分光装置１００又は撮像装置１０にて対象とされる光の波長帯は限定されない。分光装置１００又は撮像装置１０は、可視光の波長帯を対象としてもよいし、赤外光や紫外光の波長帯を対象としてもよい。また、分光装置１００又は撮像装置１０において、画像（波面）は、撮像素子１３の画素等に応じて、例えば二次元の複数の画素に分解される。つまり、変調部１１０は、撮像素子１３の画素等に応じて、例えば二次元の複数の画素を単位に波面を変換する。
【００２３】
図４は、本実施形態における分光装置１００及び分光装置１００を有する撮像装置１０の具体的な構成の一例を示す。図４に示すとおり、本実施形態における撮像装置１０は、コリメータ１１と、上述した分光装置１００と、ピンホール光学系１２と、撮像素子１３とを有する。また、図４に示す例では、分光装置１００の変調部１１０として散乱板１１１が用いられ、復調部１２０として形状可変ミラー１２１が用いられる。また、図４に示す例では、形状可変ミラー１２１での干渉を避けるため、戻り光を遮断するブロック１６が適宜設けられている。
【００２４】
コリメータ１１は、対象に関する二次元の画像に関する光を平行光とする。コリメータ１１としては、コリメータレンズ等の既知の手段が用いられる。また、コリメータ１１へ入射される二次元の画像は、例えば図４に示すように、レンズ１５等によって得られる。図４に示す例では、対象の種類等に応じたレンズ１５が適宜用いられる。
【００２５】
ピンホール光学系１２は、少なくともピンホールを含む。ピンホール光学系１２は、分光装置１００が出射する光のうち、平行光を結像させる。つまり、ピンホール光学系１２は、平行光ではない光を散乱させる。言い換えると、ピンホール光学系１２は、分光装置１００にて平行光とされた波長の光を選択的に透過させる。
【００２６】
撮像素子１３は、分光装置１００にて平行光とされた波長の光を撮像する。撮像素子１３として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサやＣＣＤ（Ｃｈａｒｇｅ  Ｃｏｕｐｌｅｄ  Ｄｅｖｉｃｅ）等の一般的なイメージセンサが用いられる。
【００２７】
変調部１１０に相当する散乱板１１１は、物質の色分散（すなわち、光の波長に応じた屈折率の差異）を利用して、波長に応じて波面形状を変換する。すなわち、散乱板１１１は、波長に応じた光路長が少なくとも一部で異なるような構成を有する。なお、光路長は、光がある媒質を進む際に、光が進む距離と、当該媒質の屈折率との積で表される。
【００２８】
図５は、散乱板１１１が波面形状を変換する場合の例を示す。図５では、散乱板１１１の断面が示されている。つまり、図５の例では、散乱板１１１が図の手前から奥へ延在している場合が想定されている。図５では、ＧＲＩＮ（Ｇｒａｄｉｅｎｔ  Ｉｎｄｅｘ）レンズのアレイ等のマイクロレンズアレイを介して、平行光が予め定められた画素毎に散乱板１１１へ入射する場合の例が示されている。すなわち、図５に示す例では、光は、マイクロレンズアレイによって細径化されて（画素の面方向に対する大きさに対して十分に小さく絞られて）散乱板１１１の図５における左側の面へ画素毎に入射する。そして、散乱板１１１へ入射した光は、散乱板１１１によって、波面１からｎ（ｎは自然数）の異なる波長の各々に対して異なる波面形状となるように変換される。すなわち、散乱板１１１は、平行光である光の波面形状を、光の波長に応じて異なる歪んだ波面となるように変換する。波面形状が変換された光は、散乱板１１１の図５における右側の面から出射する。散乱板１１１の光が入射又は出射する面の輪郭の形状は、散乱板１１１へ入射する光等に応じて適宜定められる。散乱板１１１の光が入射又は出射する面は、例えば矩形状とされる。
【００２９】
復調部１２０に相当する形状可変ミラー１２１は、鏡面の形状を変化させることができる鏡である。形状可変ミラー１２１は、鏡面の形状を変化させることで、散乱板１１１によって波面形状が変換された光のうち、選択された波長の光の位相を所定の状態となるように変化させる。すなわち、形状可変ミラー１２１は、鏡面を光の波面形状に応じた形状とすることで、この場合に、形状可変ミラー１２１は、選択された波長の光が平行光となるように位相を変化させる。この場合に、他の波長の光は平行光とは異なる波面となる。
【００３０】
また、形状可変ミラー１２１は、波長毎の波面形状に応じて鏡面の形状を変化させることで、複数の異なる波長の光が平行光となるように位相を変化させることを可能にする。この場合には、変調部１１０によって変換された波長毎の波面形状に応じて、形状可変ミラー１２１の鏡面の形状を例えば順次変化させることで、複数の波長の光の各々が平行光となるように位相を変化する。
【００３１】
（分光装置の構成の詳細）
次に、本実施形態における分光装置１００の各構成要素の構成及び動作に関する条件の詳細について説明する。以下の説明では、変調部１１０は散乱板１１１であり、復調部１２０は形状可変ミラー１２１である場合が想定される。
【００３２】
最初に、変調部１１０について説明する。上述のように、変調部１１０である散乱板１１１は、入射された二次元の画像に関する平行光の波面形状を波長に応じて変換する。散乱板１１１は、複数の波長光の各々の波面形状が、形状可変ミラー１２１によって区別可能になる程度に各々の波面形状を変換する。具体的には、１つ以上の画素において、複数の波長光のうちの任意の２つの波面形状の差異（すなわち、少なくとも１つの画素における光路長の差異）の大きさが、形状可変ミラー１２１の分解能と比較して大きい必要がある。すなわち、図６の矢印で示される、２つの波長光に対する波面形状の差異が１つ以上の画素において形状可変ミラー１２１の分解能よりも大きい場合には、形状可変ミラー１２１は、２つの波長光の位相を個々に変化させることが可能となる。
【００３３】
また、特定の波長光に対する波面形状の画素毎の光路長の差が、形状可変ミラー１２１の鏡面の可動域よりも大きい場合には、形状可変ミラー１２１は、当該波長の光が平面波となるように鏡面を変更させることはできない。すなわち、この場合には、形状可変ミラー１２１によって、当該波長の光が平面波となるように波面の位相を変化させることは困難である。したがって、散乱板１１１によって波面形状が変換される場合に、対象とされる波長の光の波面の各々について、画素毎の光路長の差は、形状可変ミラー１２１の可動域に含まれる必要がある。
【００３４】
散乱板１１１による波面形状の変換と、形状可変ミラー１２１によって区別されうる波長の数との関係の例は以下のようになる。この例では、形状可変ミラーの光の入射方向に対する分解能が１ｎｍ（ナノメートル）である場合を想定する。この場合には、２つの波長光の波面形状の光路長に１ｎｍ以上の差異があれば、２つの波長光の波面が区別される。
【００３５】
また、この例では、散乱板１１１が、厚さが１ｍｍ（ミリメートル）の石英ガラスであり、３４０ｎｍから９００ｎｍまでの波長が計測の対象とされる場合を想定する。この場合に、当該波長帯の光に対する屈折率の差は、３４０ｎｍの光に対する屈折率及び９００ｎｍの光に対する屈折率に基づくと、約０．０２６９２となる。そして、当該波長帯の光に対する光路長の差は、屈折率の差に散乱板１１１の厚みを乗じることで、２．６９２＊１０−５ｍ（メートル）と求められる。なお、“＊”は乗算を意味する。上述した光路長の差が形状可変ミラー１２１の可動域に含まれる場合には、形状可変ミラー１２１によって区別されうる波長（以下、「バンド」と称する場合がある）の数は、光路長の差を形状可変ミラー１２１の分解能で除して、２６９２０バンドと求められる。
【００３６】
散乱板１１１に用いられる材質は特に制限されない。散乱板１１１は、例えば光の透過率が高く、かつ色分散が大きな材質にて形成されることが好ましい。散乱板１１１が色分散の大きな物質にて形成されることで、波長に応じた光路長の差異が大きくなる。すなわち、波長毎の波面形状の差異が大きくなる。そして、より多数の波長の光が区別可能となる。
【００３７】
色分散が大きな材質は、一般に波長によって異なる。可視光線が主な対象とされる場合には、例えば石英ガラスが用いられる。また、近赤外線又は中赤外線が主な対象とされる場合には、例えばＣａＦ２（フッ化カルシウム）が用いられる。中赤外線又は遠赤外線が主な対象とされる場合には、例えばＺｎＳｅ（セレン化亜鉛）が用いられる。
【００３８】
また、多数の波長の光が異なる波面形状に変換されるように、散乱板１１１の構成には様々な例が考えられる。散乱板１１１が多数の波長の光を異なる波面形状に変換することで、復調部１２０によって多数の波長の光の位相が揃えられる。すなわち、散乱板１１１が多数の波長の光を異なる波面形状に変換することで、多数の波長の画像の取得が可能となる。
【００３９】
一例として、散乱板１１１の面は、部位に応じて厚さが変えられてもよい。すなわち、散乱板１１１の面には、凹凸が形成されてもよい。散乱板１１１の面は、例えば画素毎等の散乱板１１１の面の部位に応じて厚さが変えられる。散乱板１１１の厚さが変わると、波長毎の光路長の差異が変化する。例えば散乱板１１１の厚みが大きくなると、波長毎の光路長の差異の大きさが散乱板１１１の厚みに応じて大きくなる。したがって、散乱板１１１の面の厚さが部位によって変えられることで、散乱板１１１の部位に応じた波長毎の光路長の差異が大きくなる。
【００４０】
また、散乱板１１１は、同一又は異なる材質の複数の層が組み合わされて形成されてもよい。この場合には、散乱板１１１は、例えば同一又は異なる材質の複数の層が貼り合わされる等にて形成されてもよいし、同一又は異なる材質の複数の層が間隔を空けて設けられることで形成されてもよい。
【００４１】
散乱板１１１が複数の層が組み合わされて形成される場合には、複数の層の各々は、例えば色分散の性質が異なる材質であることが好ましい。色分散の性質が異なる複数の材質が組み合わされることで、散乱板１１１がひとつの材質で形成される場合と比較して、波長毎の光路差の差異が大きくなる。その結果として、波長毎の波面形状の差異が大きくなる。したがって、より多くの波長の画像の取得が可能となる。
【００４２】
更に、複数の層が組み合わされて散乱板１１１が形成される場合においても、散乱板１１１は、面の部位によって厚さが変えられてもよい。この場合には、散乱版１１１を形成する各々の層の厚さが面の部位に応じて変えられてもよい。
【００４３】
また、散乱板１１１は、波長に応じて光の進行方向を少なくとも一部で変えるような構成を有してもよい。より詳しくは、散乱板１１１の面や散乱版１１１を形成する各々の層の面は、部位に応じて、散乱板１１１に入射される平行光の進行方向と垂直な方向とは異なる方向へ向かって延在するような形状でもよい。言い換えると、散乱板１１１の面は、平面状の形状とは異なる形状とされてもよい。例えば、散乱板１１１の面の少なくとも一つは、散乱板１１１に入射される平行光の進行方向に対して斜めとなる方向へ向かって延在するような形状でもよい。散乱板１１１の面は、面の部位毎に延在する方向が異なってもよい。なお、この場合において、散乱板１１１の面には、散乱板１１１を形成する複数の層の各々の面が含まれる。
【００４４】
散乱板１１１の面の延在方向が平行光の進行方向に垂直な方向とは異なる方向を向くような形状であることで、散乱板１１１を通過する光の進行方向（すなわち、光線のベクトルの向き）が変えられる。また、散乱板１１１の面の延在方向が散乱板１１１の面の各々において互いに変えられることで、散乱板１１１の面の各々の部位を通過する光の進行方向が変えられる。例えば、散乱板１１１を通過する光の進行方向が散乱板１１１の面の画素毎に変えられる。また、光の進行方向の変化は、波長に応じて異なる。すなわち、散乱板１１１が上述のような構成とされることで、波面の各々の部位における光の進行方向が波長毎に変化する。すなわち、散乱板１１１の面が入射方向に対して斜め方向の向きに延在することで、散乱板１１１の面が入射方向に対して垂直となる方向の向きのみに延在する場合と比較して、波長毎の波面形状には大きな差異が与えられる。そして、この結果として、形状可変ミラー１２１によって位相が揃えられる波長の数を増やすことが可能となる。
【００４５】
また、散乱板１１１の面（散乱板１１１を形成する複数の層の各々の面を含む）では、面の粗さが部位に応じて変えられてもよい。
【００４６】
散乱板１１１の面や散乱板１１１を構成する複数の層の各々の面は、更にこれらの構造が組み合わされてもよい。すなわち、散乱板１１１の面は、部位によって面が延在する向きが異なってもよいし、部位によって厚さが異なってもよい。また、異なる材質の複数の散乱板が組み合わされて散乱板１１１が形成される場合には、各々について、面の部位によって面が延在する向きが異なってもよい。この場合には、面の部位によって各々の厚さが異なってもよい。
【００４７】
図７の（Ａ）から（Ｃ）の各々は、散乱板１１１の具体的な構成例の断面図を示す。図７（Ａ）は、散乱板１１１が材質１の１つの材質にて形成されている例を示す。また、図７（Ｂ）は、散乱板１１１が材質１及び２の２つの異なる材質の層にて形成されている例を示す。同様に、図７（Ｃ）は、散乱板１１１が材質１から３の３つの異なる材質の層にて形成されている例を示す。なお、図７の例では、平行光が、各々の散乱板１１１の左側から、散乱板１１１の左側の面に垂直となるように入射する場合を想定する。
【００４８】
図７（Ａ）では、散乱板１１１の１つの面の形状が、平面状の形状とは異なる形状とされている。すなわち、図７（Ａ）の例では、散乱板１１１の１つの面の一部の形状が平行光の進行方向に対して斜めの方向を向くように形成されている。また、図７（Ａ）の例では、散乱板１１１の１つの面の一部の厚みが他の部分とは異なるように形成されている。一例として、図７（Ａ）の例では、散乱板１１１の図中下側の部分は、他の部分と比較して大きな厚みとされている。
【００４９】
また、図７（Ｂ）及び（Ｃ）の例では、散乱板１１１の異なる材質の層が接する面の形状が、図７（Ａ）の例と同様に、平面状とは異なる形状とされている。このような形状とすることで、複数の波長の各々において、画素毎の光路長や光の進行方向に差異を与えることが可能となる。
【００５０】
なお、図７の例では、材質１から３の各々の材質は特に制限されないが、例えばそれぞれ色分散が異なる材質が用いられる。上述のように、色分散が異なる材質が散乱板に用いられることで、波長毎の波面形状の差異を大きくすることが可能となる。
【００５１】
なお、図７の各々の例では、散乱板１１１の断面図が示されている。しかしながら、各々の散乱板１１１の面等は、図中の奥行き方向に関しても上述した様々な構造を有してもよい。
【００５２】
また、散乱板１１１によって、１つの画素の光が他の画素に入り込む程度に波面形状が変換されると、画素間でのクロストークが生じる可能性がある。これを回避するためには、各々の画素の光が他の画素に入り込まないように各々の画素の光の進行方向が定められる必要がある。
【００５３】
図８は、各々の画素における光の進行方向の条件に関する図である。復調部１２０が形状可変ミラー１２１である場合において、散乱板１１１での１つの画素の幅がｃであり、散乱板１１１の形状可変ミラー１２１側の面から形状可変ミラー１２１の鏡面までの距離がｓである場合を想定する。この場合に、散乱板１１１によって進行方向が変えられた場合における各々の画素の光の進行方向に対する角度θは、ｔａｎ（θ）＝ｃ／ｓとの関係を満たす必要がある。なお、この場合において、各々の画素へ入射する光は、例えばＧＲＩＮレンズを用いたマイクロレンズアレイ等によって細径化されていることが想定される。
【００５４】
次に、復調部１２０について説明する。復調部１２０である形状可変ミラー１２１は、ＭＥＭＳ（Ｍｉｃｒｏ  Ｅｌｅｃｔｒｏ  Ｍｅｃｈａｎｉｃａｌ  Ｓｙｓｔｅｍｓ）や電磁的手法によって、鏡面の形状を変化させることが可能な鏡である。鏡面の形状が変化することで、形状可変ミラー１２１は、波面の位相を変化させる。
【００５５】
本実施形態では、形状可変ミラー１２１として、例えば以下のような形状可変ミラーが用いられる。形状可変ミラー１２１は、例えば、ＭＥＭＳアクチュエータによって鏡の表面形状が変化する形状可変ミラーである。この場合には、鏡面は１辺が４ｍｍの正方形状であり、アクチュエータの数は１４４である。また、アクチュエータ間の距離は０．３３ｍｍとなり、分解能（最短の動作距離）は１ｎｍである。アクチュエータの動作周波数は最大で８ｋＨｚである。アクチュエータの作動距離（すなわち、鏡面が平面状となる場合に鏡面に垂直となる方向へのアクチュエータの移動距離）及びアクチュエータの間隔に基づいて鏡面の形状が求められる。
【００５６】
復調部１２０が形状可変ミラー１２１である場合には、形状可変ミラー１２１の動作周波数に応じて、単位時間当たりに分光可能な波長数が定められる。上述のように、形状可変ミラー１２１の動作周波数が８ｋＨｚである場合には、１秒間で８０００バンドの処理が可能となる。例えば、二次元の画像に対して２５０バンドの分光が必要とされる場合には、約０．０３秒で分光が行われる。すなわち、本実施形態における分光装置１００では、復調部１２０として例えば形状可変ミラー１２１が用いられることで、形状可変ミラー１２１の動作周波数に応じた高速な分光が可能となる。
【００５７】
なお、復調部１２０は、形状可変ミラー１２１とは異なる種類の空間光変調器等にて実現されてもよい。例えば、復調部１２０として、液晶を用いた空間光変調器が用いられる。この場合には、液晶の制御によって、波長に応じて位相に遅延が与えられる。特定の波長光の波面に応じた遅延が与えられることで、当該特定の波長の光の位相が揃えられる。
【００５８】
また、復調部１２０は、位相シフト干渉法に基づく手法を用いて実現されてもよい。この場合には、予め求められた散乱板１１１による波長毎の位相の変化に基づいて、散乱板１１１による位相の変換に関する伝達関数が求められる。そして、この伝達関数に基づいて、散乱板１１１によって波長毎に波面形状が変換された光を撮像し、撮像された画像に対して、選択された特定の波長光の位相を変化させる処理が行われる。一連の処理は、ＰＣ（Ｐｅｒｓｏｎａｌ  Ｃｏｍｐｕｔｅｒ）等の情報処理装置にて実現される。
【００５９】
すなわち、復調部１２０は、変調部１１０によって波長に応じて波面形状が変換された光のうち、選択された波長の光が平面波となるように位相を変化させることが可能であればよい。この場合には、復調部１２０は、形状可変ミラー１２１とは異なる機構によって実現されてもよい。復調部１２０として用いられる機構は、必要とされる動作速度等やその他の条件に応じて適宜定められればよい。復調部１２０は、形状可変ミラー１２１のように、多数のバンドを高速に扱える機構であることが好ましい。
【００６０】
（復調部１２０の調整手順）
本実施形態における分光装置１００では、特定の波長の光の位相を揃えるために、例えば復調部１２０として形状可変ミラー１２１が用いられる場合には波長に応じた形状可変ミラー１２１の鏡面の形状を定める必要がある。そして、形状可変ミラー１２１の鏡面の形状を定める際には、波長毎の波面形状の把握が必要となる。変調部１１０である散乱板１１１にて変換される波面形状は、波長毎に以下の手順にて求められる。図９は、復調部１２０の調整に際して用いられる構成の例を示す。
【００６１】
まず、平行光である特定の波長の単色光が散乱板１１１へ入射する。単色光は、例えば白色光をレンズ１５−１等を介して分光光度計１７へ入射する等によって得られる。そして、このように得られた単色光がレンズ１５−２等を介してコリメータ１１へ入射される等によって、平行光である単色光が得られる。平行光である単色光が散乱板１１１へ入射されると、単色光は、散乱板１１１によって波長に応じた波面形状へ変換される。
【００６２】
続いて、波面形状が変換された単色光は、波面形状センサ１８へ導入される。図９に示す例では、単色光は形状可変ミラー１２１を介して波面形状センサ１８へ導入される。この例では、形状可変ミラー１２１は平面となるように制御される。なお、波面形状が変換された単色光は、形状可変ミラー１２１を介さずに直接に波面形状センサ１８へ導入されてもよい。そして、波面形状センサ１８によって、散乱板１１１によって変換された単色光の波面形状が求められる。
【００６３】
そして、波面形状が求められると、求められた波面形状に基づいて、当該単色光の波長の光を平面波とするような形状可変ミラー１２１の鏡面の形状が求められる。この場合には、形状可変ミラー１２１の鏡面の形状は、既知の手法を用いて求められる。
【００６４】
上述の動作が他の波長の単色光に対して行われることで、当該他の波長の単色光を平面波とするような形状可変ミラー１２１の鏡面の形状が求められる。他の波長の単色光は、分光光度計１７の回折波長を変える等によって得られる。すなわち、上述の動作が複数の波長に対して繰返し行われることで、所望の複数の波長に対して形状可変ミラー１２１の鏡面の形状を定められる。
【００６５】
なお、異なる散乱板１１１が用いられる場合には、形状可変ミラー１２１の鏡面の形状が散乱板１１１の各々に対して求められる。また、復調部１２０として形状可変ミラー１２１以外の機構が用いられる場合において、復調部１２０が特定の波長の光の位相を変化させる際には、上述のように得られた波面形状に関する情報が適宜用いられる。
【００６６】
以上のとおり、本実施形態における分光装置１００は、散乱板１１１等の変調部１１０にて波長毎に波面形状が変換された光のうち、特定の波長の光の位相を復調部１２０が例えば平行光等の所定の状態となるように変化させる。このようにすることで、本実施形態における分光装置１００は、特定の波長に対する画像の取得を可能とする。
【００６７】
また、復調部１２０には、形状可変ミラー１２１等が用いられる。形状可変ミラー１２１は、数ｋＨｚの動作周波数での動作が可能である。すなわち、復調部１２０に形状可変ミラー１２１が用いられることで、分光装置１００は、例えば一秒間に数千バンドの光の平面波を得ることを可能とする。
【００６８】
これに対して、既知のハイパースペクトルイメージング技術では、分光に際して、特定の波長を選択するフィルタの交換や、回折格子によって分光された光の走査等の動作が必要となる場合がある。波長毎の画像の取得に際してこれらの動作が必要となる場合には、１つの波長の画像の取得に数秒程度の時間を要する場合がある。また、これらの動作のための機構が必要となる場合がある。
【００６９】
すなわち、本実施形態における分光装置１００は、高速な分光を可能とする。また、本実施形態における分光装置１００を有する撮像装置１０は、ハイパースペクトルイメージングのための多数の波長に対する画像を高速に得ることを可能とする。
【００７０】
（分光装置及び撮像装置の適用例）
上述した分光装置１００及び分光装置１００を備える撮像装置１０は、種々の分野へ適用される。
【００７１】
一例として、撮像装置１０は、既存のハイパースペクトルイメージングのための装置と同様に用いられる。撮像装置１０は、例えば衛星や航空機等に搭載されて、環境の調査等に用いられる。
【００７２】
また、上述のように、撮像装置１０は、ハイパースペクトルイメージングのための多数の波長に対する画像を高速に得ることを可能とする。そのため、撮像装置１０は、高速な画像の取得が必要とされる用途に関して用いられる。
【００７３】
例えば、重要な施設の警備等に撮像装置１０が用いられることで、目標物の迅速かつ詳細な識別や、識別された情報に基づく迅速な対策の立案が可能となる。
【００７４】
別の例として、化学プラント等の火災や工場等からの汚染物質の排出の調査等に関して撮像装置１０が用いられることで、火災の発生箇所の特定、有毒な物質の拡散状況の観測や予測が可能となる。
【００７５】
また、生命科学や食品科学等の分野に撮像装置１０が用いられることで、細胞や微生物の内部で生じる化学反応等の詳細な分析が容易になる。特に、撮像措置１０によって、これらの化学反応の時間的な経過の分析が容易になる。これと類似して、内視鏡等として撮像装置１０が用いられる場合には、疾患や切除部位の検出や生体内の状態の高速な診断が可能となる。これによって、患者の苦痛の軽減が可能となる。
【００７６】
更に、赤外線の検知が可能な撮像装置１０が自動車等に搭載されることで、人体の放射波長特性に基づいた、運転中の周囲の人物の認識が可能となる。
【００７７】
この他に、撮像装置１０が既存のハイパースペクトルイメージングのための装置と同様に用いられる場合においても、画像が高速に得られることで、運用の自由度が高められる。
【００７８】
また、分光装置１００は、一般的な分光装置として用いられる。この場合においても、高速な分光が行われることで、処理の効率化が可能となる。
【００７９】
以上、実施形態を参照して本発明を説明したが、本発明は上記実施形態に限定されるものではない。本発明の構成や詳細には、本発明のスコープ内で当業者が理解し得る様々な変更をすることができる。また、各実施形態における構成は、本発明のスコープを逸脱しない限りにおいて、互いに組み合わせることが可能である。
【００８０】
この出願は、２０１６年１０月１２日に出願された日本出願特願２０１６−２０１０２２を基礎とする優先権を主張し、その開示の全てをここに取り込む。
【００８１】
この発明の一部又は全部は、以下の付記のようにも表されるが、以下に限られない。
（付記１）
波長に応じて光の波面形状を変換する変調手段と、
前記波面形状を変換された光のうち、選択された波長の光の位相を所定の状態となるように変化させる復調手段とを備える分光装置。
（付記２）
前記復調手段は、前記選択された波長の光の位相を平行光となるように変化させる、付記１に記載の分光装置。
（付記３）
前記変調手段は、波長毎の光路長が少なくとも一部で異なる散乱板である、付記１又は２に記載の分光装置。
（付記４）
前記散乱板は、前記光の進行方向に対する厚さが異なる部位を含む、付記３に記載の分光装置。
（付記５）
前記散乱板の前記光が入射又は出射する面に凹凸が形成されている、付記３又は４に記載の分光装置。
（付記６）
前記散乱板は、波長に応じて前記光の進行方向を少なくとも一部で変化させる、付記３から５のいずれか一項に記載の分光装置。
（付記７）
前記散乱板は、前記光が入射又は出射する面が前記光の進行方向に対して斜めとなる方向に延在する部位を含む、付記３から６のいずれか一項に記載の分光装置。
（付記８）
前記散乱板は複数の層を有する、付記３から７のいずれか一項に記載の分光装置。
（付記９）
前記複数の層の少なくとも一つの層は、他の層と異なる材料で形成されている、付記８に記載の分光装置。
（付記１０）
前記復調手段は空間光変調器である、付記１から９のいずれか一項に記載の分光装置。
（付記１１）
前記空間光変調器は形状可変ミラーである、付記１０に記載の分光装置。
（付記１２）
前記空間光変調器は液晶空間光変調素子である、付記１０に記載の分光装置。
（付記１３）
前記復調手段は、位相シフト干渉法に基づいて前記位相を所定の状態となるように変化させる、付記１から９のいずれか一項に記載の分光装置。
（付記１４）
二次元の画像に関する光を第１の平行光とするコリメータと、
前記第１の平行光のうち、特定の波長の光の位相を平行光となるように変化させる付記１から１３のいずれか一項に記載の分光装置と、
前記分光装置から出射する第２の平行光を結像させるピンホール光学系と、
前記第２の平行光を撮像するイメージセンサとを備える撮像装置。
【符号の説明】
【００８２】
１００    分光装置
１１０    変調部
１２０    復調部
１０    撮像装置
１１    コリメータ
１２    ピンホール光学系
１３    撮像素子
１５    レンズ
１６    ブロック
【図１】
2018070206.tif 000003
【図２】
2018070206.tif 000004
【図３】
2018070206.tif 000005
【図４】
2018070206.tif 000006
【図５】
2018070206.tif 000007
【図６】
2018070206.tif 000008
【図７】
2018070206.tif 000009
【図８】
2018070206.tif 000010
【図９】
2018070206.tif 000011
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
波長に応じて光の波面形状を変換する変調手段と、
前記波面形状を変換された光のうち、選択された波長の光の位相を所定の状態となるように変化させる復調手段とを備える分光装置。
【請求項２】
前記復調手段は、前記選択された波長の光の位相を平行光となるように変化させる、請求項１に記載の分光装置。
【請求項３】
前記変調手段は、波長毎の光路長が少なくとも一部で異なる散乱板である、請求項１又は２に記載の分光装置。
【請求項４】
前記散乱板は、前記光の進行方向に対する厚さが異なる部位を含む、請求項３に記載の分光装置。
【請求項５】
前記散乱板の前記光が入射又は出射する面に凹凸が形成されている、請求項３又は４に記載の分光装置。
【請求項６】
前記散乱板は、波長に応じて前記光の進行方向を少なくとも一部で変化させる、請求項３から５のいずれか一項に記載の分光装置。
【請求項７】
前記散乱板は、前記光が入射又は出射する面が前記光の進行方向に対して斜めとなる方向に延在する部位を含む、請求項３から６のいずれか一項に記載の分光装置。
【請求項８】
前記散乱板は複数の層を有する、請求項３から７のいずれか一項に記載の分光装置。
【請求項９】
前記複数の層の少なくとも一つの層は、他の層と異なる材料で形成されている、請求項８に記載の分光装置。
【請求項１０】
二次元の画像に関する光を第１の平行光とするコリメータと、
前記第１の平行光のうち、特定の波長の光の位相を平行光となるように変化させる請求項１から９１３のいずれか一項に記載の分光装置と、
前記分光装置から出射する第２の平行光を結像させるピンホール光学系と、
前記第２の平行光を撮像するイメージセンサとを備える撮像装置。
【国際調査報告】
2018070206.tif 000012
2018070206.tif 000013
2018070206.tif 000014
2018070206.tif 000015